(57)【要約】【課題】ルーバー材を容易に取り付けでき、さらに、ルーバー材を固定する固定部材が緩み始めてもルーバー材がフレーム材から脱落しにくいルーバー材取付構造を提供する。【解決手段】本発明のルーバー材取付構造は、フレーム材２と、フレーム材２の固定面２１に配し、先端側に、ルーバー材３後端部を挟み込み可能な支持部４３を形成したホルダー部４と、ホルダー部４に跨がせて配し、両端にフレーム材２に設けた第一留め部２４に掛かる掛かり部５３を形成したクランプ部５と、前記支持部４３にルーバー材３後端部を挟み込ませながらホルダー部４をフレーム材２に固定するとともに、クランプ部５の掛かり部５３を、第一留め部２４よりも奥側に形成した第二留め部２５に移動させる固定部材６と、を備えたことを特徴とする。【選択図】図２
2010133126.tif 000002
【特許請求の範囲】
【請求項１】
フレーム材と、フレーム材の固定面に配し、先端側に、ルーバー材後端部を挟み込み可能な支持部を形成したホルダー部と、ホルダー部に跨がせて配し、両端にフレーム材に設けた第一留め部に掛かる掛かり部を形成したクランプ部と、前記支持部にルーバー材後端部を挟み込ませながらホルダー部をフレーム材に固定するとともに、クランプ部の掛かり部を、第一留め部よりも奥側に形成した第二留め部に移動させる固定部材と、を備えたルーバー材取付構造。
【請求項２】
ホルダー部を、重なり合う二枚の板状部材で形成し、その後端側に、固定部材の軸部を挿し通す結合孔を設け、その結合孔よりも後方に、一方の板状部材から他方の板状部材に向けて幅方向に沿い突出した突条部を形成し、突条部の先端は、前記他方の板状部材に接し、両板状部材間に若干の隙間を形成する構成とした請求項１に記載のルーバー材取付構造。
【請求項３】
前記他方の板状部材に、前記突条部の先端が納まる溝部を形成した請求項２に記載のルーバー材取付構造。
【請求項４】
クランプ部を、可撓性のある材料で形成した請求項１〜３のいずれかに記載のルーバー材取付構造。
【請求項５】
ホルダー部を、重なり合う二枚の矩形板状部材から形成し、先端側に、折り曲げ或いは湾曲形成した前記支持部を設け、後端側に、両板材を貫通する結合孔を形成した構成とし、クランプ部を、矩形状板材を略コ字状に折り曲げた形状に形成し、両先端部に内側に向かい突出した前記掛かり部を形成し、中央部付近に、前記結合孔と合わさる挿入孔を形成した構成とし、固定部材を、前記結合孔及び前記挿入孔に挿し込み、フレーム材に固定可能な軸部を形成した構成とした請求項1〜４のいずれかに記載のルーバー材取付構造。
【請求項６】
フレーム材の固定面に配し、先端側に、ルーバー材後端部を挟み込み可能な支持部を形成したホルダー部と、ホルダー部に跨がせて配し、両端にフレーム材に設けた第一留め部に掛かる掛かり部を形成したクランプ部と、前記支持部にルーバー材後端部を挟み込ませながらホルダー部をフレーム材に固定するとともに、クランプ部の掛かり部を、第一留め部よりも奥側に形成した第二留め部に移動させる固定部材と、を備えたルーバー材取付具。
【発明の詳細な説明】
【技術分野】
【０００１】
本発明は、建築物の外壁などに、陽射しを遮るために設けるルーバー材の取付構造に関する。
【背景技術】
【０００２】
ルーバー材は、長尺状の棒材、板材、アルミ押出材などから形成され、建築物の外壁に沿い並行に配し、室内に入射してくる陽射しを遮ることができるものである。
また、最近では、ルーバー材を水平方向に並列させて庇の如く用いることがある。このような庇の中には、夏場の陽射しは遮り、冬場の陽射しは室内に取り入れできるようにしたものがある（下記特許文献１参照）。
【０００３】
【特許文献１】特開２００８−２２３３４６号公報
【発明の開示】
【発明が解決しようとする課題】
【０００４】
上記庇の如く、ルーバー材から形成した庇は、主に、工場にて製作し、それを現場に搬入するか、部品を現場に持ち込み、現場で組み立てることが行われていた。
工場にて製作した場合は、庇をそのまま外壁などに取り付ければよいものであるが、重量があるため取り付けの際に重機などを必要とし、人手を要するものであった。また、現場で組み立てる場合は、外壁にフレーム材を取り付けた後、ルーバー材を、持ちながらフレーム材に取り付けなければならず、施工しにくいものであった。
【０００５】
そこで、本発明の目的は、ルーバー材を容易に取り付けできるルーバー材取付構造を提供するものであり、さらには、ルーバー材を固定するネジなどの固定部材が緩み始めてもルーバー材がフレーム材から脱落しにくいルーバー材取付構造を提供するものである。
【課題を解決するための手段】
【０００６】
本発明のルーバー材取付構造は、フレーム材と、フレーム材の固定面に配し、先端側に、ルーバー材後端部を挟み込み可能な支持部を形成したホルダー部と、ホルダー部に跨がせて配し、両端にフレーム材に設けた第一留め部に掛かる掛かり部を形成したクランプ部と、前記支持部にルーバー材の後端部を挟み込ませながらホルダー部をフレーム材に固定するとともに、クランプ部の掛かり部を、第一留め部よりも奥側に形成した第二留め部に移動させる固定部材と、を備えたことを特徴とする。
【０００７】
本発明は、ルーバー材を取り付ける際、ルーバー材後端部をホルダー部の支持部に挟み込みながら、固定部材をフレーム材に固定すれば、ルーバー材をフレーム材に固定することができ、容易に施工することができる。
また、ホルダー部は固定部材だけでなくクランプ部でもフレーム材に固定されているため、固定部材が緩み始めたとしてもクランプ部でホルダー部は支持され、脱落することがなく、安全性に優れているものである。
【０００８】
上記ルーバー材取付構造は、ホルダー部を、重なり合う二枚の板状部材で形成し、その後端側に、固定部材の軸部を挿し通す結合孔を設け、その結合孔よりも後方に、一方の板状部材から他方の板状部材に向けて幅方向に沿い突出した突条部を形成し、突条部の先端は、前記他方の板状部材に接し、両板状部材間に若干の隙間を形成する構成とすることができる。
【０００９】
このような構成にすることにより、固定部材をフレーム材に固定する際、固定部材が力点、突条部が支点となり、ホルダー部でルーバー材後端部を強く挟み込むことができ、ルーバー材がホルダー部から抜けにくくなる。
【００１０】
上記ルーバー材取付構造は、前記他方の板状部材に、前記突条部の先端が納まる溝部を形成することができる。
【００１１】
このような構成にすることにより、ホルダー部の二枚の板状部材は、突条部を溝部に納めて位置決めをすることができ、施工しやすくなる。
【００１２】
上記ルーバー材取付構造は、クランプ部を、可撓性のある材料で形成することができる。
【００１３】
このような構成とすることにより、固定部材が緩みホルダー部が外れ始め、ホルダー部がクランプ部に支持された際、ホルダー部の重みによりクランプ部が撓み、掛かり部が第二留め部により強く掛かり、クランプ部がフレーム材から外れにくくなる。
【００１４】
上記ルーバー材取付構造は、具体的には、ホルダー部を、重なり合う二枚の矩形板状部材から形成し、先端側に、折り曲げ或いは湾曲形成した前記支持部を設け、後端側に、両板材を貫通する結合孔を形成した構成とし、クランプ部を、矩形状板材を略コ字状に折り曲げた形状に形成し、両先端部に内側に向かい突出した前記掛かり部を形成し、中央部付近に、前記結合孔と合わさる挿入孔を形成した構成とし、固定部材を、前記結合孔及び前記挿入孔に挿し込み、フレーム材に固定可能な軸部を形成した構成とすることができる。
【００１５】
本発明は、フレーム材の固定面に配し、先端側に、ルーバー材後端部を挟み込み可能な支持部を形成したホルダー部と、ホルダー部に跨がせて配し、両端にフレーム材に設けた第一留め部に引っ掛かる掛かり部を形成したクランプ部と、前記支持部にルーバー材の後端部を挟み込ませながらホルダー部をフレーム材に固定するとともに、クランプ部の掛かり部を、第一留め部よりも奥側に形成した第二留め部に移動させる固定部材と、を備えたルーバー材取付具をも対象とする。
【発明を実施するための最良の形態】
【００１６】
以下、本発明の一実施形態のルーバー材取付構造を、図面に基づいて説明する。なお、本実施形態では、図１に示すような、本発明のルーバー材取付構造を用いた庇について説明する。
【００１７】
図１に示す庇は、ルーバー材取付具１を介してフレーム材２にルーバー材３を取り付けてあり、ルーバー材取付具１は、図２又は図３に示すように、フレーム材２の固定面２１に配し、ルーバー材３を挟み込むホルダー部４と、ホルダー部４を跨ぐようにしてフレーム材２に留まるクランプ部５と、ホルダー部４及びクランプ部５をフレーム材２に固定する固定部材６と、を備えている。
【００１８】
フレーム材２は、図１〜図３に示すように、長尺状の断面中空矩形状部材から形成してあり、先端側上隅部を斜めに切り欠いてあり、後端側を躯体壁面１１に固定するようにしてある。フレーム材２の底面は固定面２１としてあり、固定面２１には、適宜間隔で固定部材６を固定するネジ孔の固定孔２２が設けてある。フレーム材２の固定面２１側の両隅部には、図４に示すように、側方及び下方に若干張り出させ、その側面を下向き傾斜面とした断面略台形状のクランプ留め部２３が形成してあり、その傾斜面上には、長手方向に刻み目が形成してあり、その刻み目を第一留め部２４とし、クランプ留め部２３の上面を第二留め部２５としてある。
【００１９】
ルーバー材３は、図２又は図５に示すように、長尺状中空材で形成してあり、断面において、先端側を湾曲しながら窄まる変形三角形状に形成し、後端側を三角形状に形成してある。ルーバー材３の表面及び裏面の後端寄りには、長手方向に凹ませた一対の被嵌合部３１が形成してある。
【００２０】
ホルダー部４は、図２又は図３に示すように、固定面２１と略同幅の二枚の矩形状板を重ね合わせてなり、フレーム材２の固定面２１側に配する第一ホルダー材４１と、それに重ね合わせる第二ホルダー材４２とから形成してある。これらの先端側には、図５に示すように、支持部４３が形成してあり、支持部４３は、両ホルダー材４１，４２の先端側を、ルーバー材３の後端側を挟み込み可能にハ字状に折り曲げ或いは湾曲させて形成してあり、その先端部には、内側に突出した、ルーバー材３の被嵌合部３１に嵌め合わせ可能な一対の嵌合部４４が形成してある。
両ホルダー材４１，４２の重なり合う部分には、図３に示すように、結合孔４５が形成してある。第二ホルダー材４２の後端部には、図５に示すように、第一ホルダー材４１に向けて突出する断面三角形状の突条部４６が幅方向に沿い形成してあり、第一ホルダー材４１に形成した筋状の溝部４７に突条部４６の先端が納まるようにしてあり、両ホルダー材４１，４２を重ね合わせた際、若干の隙間ができるようにしてある。
【００２１】
クランプ部５は、図２〜図４に示すように、フレーム材２の両側面を挟み込むように細長矩形状板材の両端部を対面するように折り曲げて両側面５１を形成した略コ字状に形成してあり、両側面５１を繋ぐ面を支持面５２としてある。両側面５１は、その先端側が外側に張り出す段状に形成してあり、さらに、その先端部には、内側に突出した掛かり部５３が形成してあり、第一留め部２４及び第二留め部２５に掛かり止め可能に形成し、掛かり部５３を第二留め部２５に掛かり止めした際、図４（Ｂ）に示すように、フレーム材２の固定面２１とクランプ部５の支持面５２との間にホルダー部４が略隙間なく納まるようにしてある。支持面５２の中央部付近には、ホルダー部４の結合孔４５と合わさる挿入孔５４が形成してあり、挿入孔５４の両脇部分には、側面５１と反対方向に隆起させた隆起部５５が形成してあり、隆起部５５は、挿入孔５２側を垂直面とし、その反対側を湾曲面としてなだらかに支持面５２に連なるようにしてある。
クランプ部５は、可撓性のある材料、例えば、金属又は合成樹脂などで形成するのが好ましい。
【００２２】
固定部材６は、軸部６１及び頭部６２を有するネジとしてあり、軸部６１は、クランプ部５の挿入孔５２とホルダー部４の結合孔４５に挿し込み、フレーム材２の固定孔２１に締結でき、頭部６２は、フレーム材２に締結した際、クランプ部５の隆起部５５間に納まる。
【００２３】
以下、ルーバー材取付具１を用いたルーバー材３の取り付け手順の一例を説明する。
フレーム材２の固定面２１に、図３に示すように、ホルダー部４を、支持部４３をフレーム材先端側に向けながら固定孔２２に結合孔４５を合わせて配する。この際、第一ホルダー材４１は、固定面２１に接着剤又は接着テープなどで固定し、第二ホルダー材４２は、突条部４６の先端を第一ホルダー材４３の溝部４７に納めて取り付けるのが好ましい。
次に、クランプ部５を、図４（Ａ）に示すように、ホルダー材４を跨ぐように配するとともに挿入孔５２をホルダー部４の結合孔４５に合わせ、掛かり部５３をフレーム材２の第一留め部２４に掛からせる。
そして、固定部材６の軸部６１を、挿入孔５２及び結合孔４３に挿し込み、固定孔２１に締結する。この際、固定部材６は、図４（Ａ）又は図５（Ａ）に示すように、完全には締結せず、ホルダー部４の支持部４３が開閉できる程度に締結しておく。
【００２４】
ホルダー部４を取り付けたフレーム材２の後端側を躯体壁面１１に、図１に示すように、固定面２１が底面となるように固定し、フレーム材２を躯体壁面１１から横方向に突出させる。同様に複数のフレーム材２を躯体壁面１１に固定し、各フレーム材２が同じ高さになるように躯体壁面１１に適宜間隔で配する。
その後、ルーバー材３の後端部を支持部４３に挟み込みした状態で、固定部材６を締結することにより、支持部４３は閉じていき、図５（Ｂ）に示すように、嵌合部４５が被嵌合部３１に嵌合し、ルーバー材２は支持部４３に挟み込まれフレーム材２に取り付けることができる。この際、固定部材６は、図４（Ｂ）に示すように、クランプ部５を押し上げ、掛かり部５３は、第一留め部２４から奥側の第二留め部２５にクランプ留め部２３の傾斜面上を滑りながら移動し、クランプ部５はホルダー部４を支持する。
【００２５】
このようにして、ルーバー材３をルーバー材取付具１を介して各フレーム材２に取り付けることにより、ルーバー材３の取り付けが完了する。
【００２６】
本発明のルーバー材取付構造は、フレーム材２にルーバー材取付具１を取り付けておき、そのフレーム材２を躯体壁面１１に固定し、その後、ルーバー材３を支持部４３に挟み込ませながら固定部材６を固定すれば、ルーバー材３を取り付けできるため、容易に施工ができる。
【００２７】
また、本発明のルーバー材取付構造は、ホルダー部４を、固定部材６だけでなくクランプ部５でも支持するため、固定部材６が緩んだとしてもルーバー材３が脱落することがなく、安全性に優れている。
第二ホルダー材４２に突条部４６を設け、両ホルダー材４１，４２間に若干の隙間を設けて重ね合せることにより、固定部材６を締結する際、固定部材６が力点、突条部４６が支点となり、支持部４３でルーバー材３を挟み込む力が強くなり、ルーバー材３が外れにくくなり、さらに、第一ホルダー材４１に突条部４６の先端を納める溝部４７を設けることにより、両ホルダー材４１，４２の位置決めがしやすく、固定部材６を締結する際、両ホルダー材４１，４２が回転することがない。
【００２８】
クランプ部５を可撓性のある材料で形成しておけば、固定部材６が緩みホルダー部４が外れ始めたとしても、クランプ部５は、ホルダー部４の重みにより支持面５２がフレーム材２から離反する方向（図５（Ｂ）の矢印Ａ方向）に撓み、その結果、掛かり部５３がフレーム材２に向かう方向（図５（Ｂ）の矢印Ｂの方向）に移動し、第二留め部２５により強く掛かり止るようになり、外れ難いものになる。
【００２９】
本発明は、上記実施形態では、庇としてあるが、これに限定するものではなく、複数のフレーム材を垂直方向に配し、ルーバー材を横方向に架け渡す形態などとしてもよい。
【００３０】
なお、図中に示す、符号７は先端ルーバー材、符号８は支持アームを示している。
【００３１】
上記実施形態の構成態様は、本発明を限定するものとして挙げたものではなく、技術目的を共通にするかぎり変更は可能であり、本発明はそのような変更を含むものである。
【図面の簡単な説明】
【００３２】
【図１】本発明の一実施形態のルーバー材取付構造を用いて形成した庇の側断面図である。
【図２】図１の庇のルーバー材取付具付近の拡大斜視図である。
【図３】図１の庇において、ルーバー材取付具を分解した状態を示した拡大斜視図である。
【図４】図１の庇の固定孔付近の拡大横断面図である。
【図５】図１の庇の固定孔付近の拡大縦断面図である。
【符号の説明】
【００３３】
１ルーバー材取付具  １１躯体壁面  ２フレーム材  ２１固定面  ２２固定孔  ２３クランプ留め部  ２４第一留め部  ２５第二留め部  ３ルーバー材  ３１被嵌合部  ４ホルダー部  ４１第一ホルダー材  ４２第二ホルダー材  ４３支持部  ４４嵌合部  ４５結合孔  ４６突条部  ４７溝部  ５クランプ部  ５１側面  ５２支持面  ５３掛かり部  ５４挿入孔  ５５隆起部  ６固定部材  ６１軸部  ６２頭部
【図１】
2010133126.tif 000003
【図２】
2010133126.tif 000004
【図３】
2010133126.tif 000005
【図４】
2010133126.tif 000006
【図５】
2010133126.tif 000007